(57)【要約】【課題】空気吸込口にエアフィルターが未装着状態のまま運転された場合、それを検知し、エアフィルターが未装着のまま使用されていることを使用者に警告して、正しく装着して使用することを促す温風暖房機である。【解決手段】ガスバーナを臨ませた燃焼室６と、燃焼時の熱で空気を加熱し、温風吹出口から排出させる送風ファンと、空気吸込口に着脱自在に設けたエアフィルターと、燃焼時における燃焼室の温度変化を検出する温度検出手段１０と、温度検出手段による検出温度値が、エアフィルターが空気吸込口に未装着状態での燃焼である時の燃焼室の温度に基く基準温度値以下になった時、エアフィルターが未装着状態であると判断して警告を行う主制御手段１４ａとを備えたガス温風暖房機である。【選択図】  図１
2004156851.tif 000002
【特許請求の範囲】
【請求項１】
空気吸込口及び温風吹出口を有する本体ケース内に、前記空気吸込口から空気を得て燃料を燃焼させるバーナを臨ませた燃焼室と、前記空気吸込口から吸い込んだ空気を燃焼室内のバーナによる燃焼時の熱で加熱し、温風吹出口から排出させる送風ファンと、前記送風ファンを駆動するファンモータと、前記ファンモータの回転数を検出する回転数検出手段と、前記回転数検出手段による検出回転数の値が所定の目標回転数に合致するように、前記ファンモータへの通電制御を行うファン制御手段とを備えたものにおいて、前記空気吸込口に着脱自在に設けたエアフィルターと、燃焼時における前記燃焼室の温度変化を検出する温度検出手段と、前記温度検出手段より取込んだ検出温度値が、前記空気吸込口にエアフィルターが未装着状態での燃焼時における前記燃焼室の温度に基く基準温度値以下になった時、前記エアフィルターが未装着状態であると判断して警告を行う主制御手段とを備えたことを特徴とする温風暖房機。
【請求項２】
空気吸込口及び温風吹出口を有する本体ケース内に、前記空気吸込口から空気を得て燃料を燃焼させるバーナを臨ませた燃焼室と、前記空気吸込口から吸い込んだ空気を燃焼室内のバーナによる燃焼時の熱で加熱し、温風吹出口から排出させる送風ファンと、前記送風ファンを駆動するファンモータと、前記ファンモータの回転数を検出する回転数検出手段と、前記回転数検出手段による検出回転数の値が所定の目標回転数に合致するように、前記ファンモータへの通電制御を行うファン制御手段とを備えたものにおいて、前記空気吸込口に着脱自在に設けたエアフィルターと、燃焼時における前記燃焼室の温度変化を検出する温度検出手段と、前記温度検出手段より取込んだ検出温度値が、前記本体ケース内に設けた室温検出手段により検出された室温値に基き補正され、かつ前記空気吸込口にエアフィルターが未装着状態での燃焼時における前記燃焼室の温度に基く基準温度値以下になった時、前記エアフィルターが未装着状態であると判断して警告を行う主制御手段とを備えたことを特徴とする温風暖房機。
【請求項３】
エアフィルターが空気吸込口に未装着であると判断し、その旨を警告した時に、ファンモータの目標回転数及びバーナでの燃焼量を予め定めたある基準温度値まで下げて燃焼するように制御する主制御手段を備えたことを特徴とする請求項１または請求項２記載の温風暖房機。
【請求項４】
エアフィルターが空気吸込口に未装着であると判断し、その旨を警告した時に、警告した時点からある一定時間の経過後は燃焼を停止する主制御手段を備えたことを特徴とする請求項１〜３のいずれかに記載の温風暖房機。
【請求項５】
エアフィルターが空気吸込口に未装着である旨の警告回数を記憶するメモリー部と、前記メモリー部に前記警告が複数回連続的に記憶された場合、または前記警告が所定回数値を越えて記憶された場合は燃焼を停止する主制御手段を備えたことを特徴とする請求項１〜３のいずれかに記載の温風暖房機。
【発明の詳細な説明】
【０００１】
【発明の属する技術分野】
本発明は、ガスまたは石油等を燃料とする温風暖房機、特にファンヒータに関するものである。
【０００２】
【従来の技術】
従来のこの種のガス温風暖房機は図４、図５で示す様に、前面に温風吹出口２を有し、かつ背面に着脱自在なエアフイルター３を介して空気吸込口４を有する本体ケース１と、本体ケース１内に収納され、空気吸込口４から取り入れた空気を温風吹出口２に案内するガイドケース５と、ガイドケース５内に構成され、かつガスバーナ７を収納した燃焼室６と、燃焼室６内で得られた燃焼熱を空気吸込口４から吸い込んだ空気と混合し、温風吹出口２から温風として吹出すための送風ファン９と、またガイドケース５の外壁面に取付け、燃焼室６近傍の雰囲気温度を検出する温度検出手段１０とを備えている。
【０００３】
そして、この種のガス温風暖房機にあっては、室温センサ（図示せず）を用いて室温を検知し、その検出室温が使用者によって、操作基板１２上に設けた室温設定スイッチ（図示せず）によって設定される設定室温に略一致するように、ガスバーナ７の燃焼量とその燃焼量に応じた送風ファン９の風量を制御する主制御基板ユニット等の主制御手段１４を備えている。
【０００４】
一方、燃料ガスは、ガスパイプ１５の先端に取り付けられたノズル部１６から噴出され、ガスバーナ７で燃焼する。ガスパイプ１５の上流側には、その通電電流を制御することにより通過燃料ガス量を制御する比例弁１７、その通電のＯＮ・ＯＦＦ制御でガス通路を開閉し、燃料ガスの通過を遮断する電磁弁１８を備えている。
【０００５】
また、送風ファン９は、通電電流に比例してその回転数が変化するファンモータ１９によって回転駆動されるもので、ファンモータ１９には、その回転数を検知するセンサー等の回転数検出手段２０を備えている。そして、主制御手段１４によりファンモータ１９への通電電流を調整し、かつその回転を回転数検出手段２０にて検知しながら調整することで送風ファン９の回転数をガスバーナ７の燃焼量に応じて可変制御している。
【０００６】
しかしながら、上記従来のガス温風暖房機では、本体ケース１の背面のエアフィルター３は、着脱自在に構成され、かつエアフィルター３が装着されない状態でも運転可能なものである。従って、埃の付着したエアフィルター３の清掃後、使用者の取付け忘れ等によりエアフィルター３が空気吸込口４に未装着のまま運転されることが考えられる。そして、エアフィルター３が未装着のまま運転された場合、本体ケース１内に、多量の埃等が吸い込まれ送風ファン９に付着し、所定の温風暖房機としての性能が確保できないという課題があった。
【０００７】
【発明が解決しようとする課題】
上記従来の技術の問題点に鑑み、本発明が解決しようとする課題は、空気吸込口にエアフィルターを取り付けないままで暖房運転をした時に、そのエアフィルターの未装着状態を警告して使用者にエアフィルターの取り付けを促し、安全に使用可能な温風暖房機を提供することにある。
【０００８】
【課題を解決するための手段】
上記課題を解決するために本発明は、燃焼室の温度変化を検出する温度検出手段による検出温度値が、エアフィルターが空気吸込口に未装着状態での燃焼時における燃焼室の温度に基く基準温度値以下になった時、前記エアフィルターが空気吸込口に未装着状態であると判断して警告を行う主制御手段を備え、前記主制御手段により警告を発して、使用者にエアフィルターの装着の必要性を促すようにしたものである。
【０００９】
上記手段によればエアフィルターの未装着状態のままでの使用を防止することができ、安定した燃焼による温風暖房機としての性能を長期にわたって確保することができる。
【００１０】
【発明の実施の形態】
上記した本発明の目的は、各請求項に記載した構成を実施の形態とすることにより達成できるので、以下には各請求項の構成にその構成による作用効果を併記し併せて請求項記載の構成のうち説明を必要とする特定用語については詳細な説明を加えて、本発明における実施の形態の説明とする。
【００１１】
本発明の温風暖房機の請求項１記載に係る発明は、空気吸込口及び温風吹出口を有する本体ケース内に、空気吸込口からの空気を得て燃料を燃焼させるバーナを臨ませた燃焼室と、空気吸込口から吸い込んだ空気を燃焼室内のバーナによる燃焼時の熱で加熱し、温風吹出口から排出させる送風ファンと、送風ファンを駆動するファンモータと、ファンモータの回転数を検出する回転数検出手段と、回転数検出手段による検出回転数の値が所定の目標回転数に合致するように、ファンモータへの通電制御を行うファン制御手段とを備えたものにおいて、空気吸込口に着脱自在に設けたエアフィルターと、燃焼時における前記燃焼室の温度変化を検出する温度検出手段と、前記温度温度検出手段より取込んだ検出温度値が、前記エアフィルターが空気吸込口に未装着状態での燃焼時における前記燃焼室の温度に基く基準温度値以下の時、前記エアフィルターが空気吸込口に未装着状態であると判断して警告を行う主制御手段とを備えた温風暖房機である。
【００１２】
上記実施の形態によれば、使用者が空気吸込口にエアフィルターを未装着のまま温風暖房機を運転したとしても、主制御手段によりエアフィルターが未装着状態であることを使用者に警告する。すなわち、温度検出手段で検出される温度は、空気吸込口から吸込まれる空気量が、エアフィルターが装着された正常の場合よりもエアフィルターが未装着の場合、圧力損失が少ないために多くなり、バーナの燃焼が低下して結果として燃焼室の温度が下がる。そして、温度検出手段が検出した前記低下した温度を取り込んで主制御手段が、エアフィルターの未装着状態であることを判断できる燃焼室の温度に基く基準温度値と比較して、エアフィルターの装着状態を判定し、基準温度値以下であればエアフィルターが未装着状態であると判定し警告を行うことで、使用者にエアフィルターの装着を促すことができる。なお、警告は光の点滅、音、画像等を単独、または組合せて行なう表示部を形成することにより可能である。
【００１３】
また請求項２記載に係る発明は、空気吸込口及び温風吹出口を有する本体ケース内に、空気吸込口からの空気を得て燃料を燃焼させるバーナを臨ませた燃焼室と、前記空気吸込口から吸い込んだ空気を燃焼室内のバーナによる燃焼時の熱で加熱し、温風吹出口から排出させる送風ファンと、送風ファンを駆動するファンモータと、ファンモータの回転数を検出する回転数検出手段と、回転数検出手段による検出回転数の値が所定の目標回転数に合致するように、ファンモータへの通電制御を行うファン制御手段とを備えたものにおいて、前記空気吸込口に着脱自在に設けたエアフィルターと、燃焼時における前記燃焼室の温度変化を検出する温度検出手段と、前記温度検出手段より取込んだ検出温度値が、本体ケース内に設けた室温検出手段によって検出された室温値に基き補正され、かつ前記エアフィルターが空気吸込口に未装着状態での燃焼時における前記燃焼室の温度に基く基準温度値以下になった時、前記エアフィルターが空気吸込口に未装着状態であると判断して警告を行う主制御手段とを備えた温風暖房機である。
【００１４】
上記実施の形態によれば、上記した請求項１記載に係る実施の形態と同じ作用が得られるとともに、一般的に燃焼室の温度変化を検出する温度検出手段による温度は、室温によって比例的に異なるが、本実施の形態ではエアフィルターの未装着を判定する燃焼室の基準温度値も、室温検出手段で検出された温度に基き補正しているので、室温の変化にも適切に対応してより正確にエアフィルターの未装着状態を判定し警告することができる。
【００１５】
また請求項３記載に係る発明は、請求項１または請求項２記載のものにあって、エアフィルターが空気吸込口に未装着状態であると判断し、その旨を警告した時に、ファンモータの目標回転数及びバーナでの燃焼量を予め定めたある基準値まで下げて燃焼するように制御する主制御手段を備えた温風暖房機である。
【００１６】
上記実施の形態によれば、制御手段はエアフィルターが空気吸込口に未装着であると判断し警告した時、ファンモータの目標回転数及びバーナで燃焼する燃焼量も予め定めた基準値、例えば不完全燃焼にならない燃焼の安全性を確認した基準値内まで下げることにより、エアフィルターの未装着の警告を行なったにもかかわらず、そのまま無視して継続的に燃焼された時に燃焼量の低下が生じているのに過剰空気の流入で燃焼が不安定になるのを防止し、安全な燃焼を確保できることになる。
【００１７】
また請求項４記載に係る発明は、請求項１〜３のいずれかに記載のものにあって、エアフィルターが空気吸込口に未装着であると判断し、その旨を警告した時に、警告した時点からある一定時間の経過後は、燃焼を停止する主制御手段を備えた温風暖房機である。
【００１８】
上記実施の形態によれば、エアフィルターの空気吸込口への未装着のままでの温風暖房機の使用の場合は、主制御手段によりエアフィルターが未装着である旨を警告してから一定の時間が経過すると、当該機器の燃焼運転を停止させ、使用者にエアフィルターの未装着を知らしめることができる。例えば、請求項２記載に係る実施の形態では、エアフィルターの未装着状態であることから、燃焼の安全性を確保するため、ファンモータの回転数及びバーナでの燃焼量を予め定めたある基準値まで下げて燃焼させ安全性を確保しても、その状態での使用が長時間に及ぶとエアフィルターが未装着のため、機器内への埃の侵入が多量になり再び不完全な燃焼になるのを防止し、安全に使用することが可能になる。
【００１９】
また請求項５記載に係る発明は、請求項１〜３のいずれかに記載のものにあって、エアフィルターが空気吸込口に未装着である旨の警告回数を記憶するメモリー部と、前記メモリー部に前記警告が複数回連続的に記憶された場合、または前記警告が所定回数値を越えて記憶された場合は燃焼を停止する主制御手段を備えた温風暖房機である。
【００２０】
上記実施の形態によれば、主制御手段はメモリー部にエアフィルターが空気吸込口に未装着状態であることの警告が複数回連続的に、または前記警告が所定回数値を越えてそれぞれ記憶された場合、燃焼運転を停止させることにより、長期間にわたってのエアフィルターの未装着のままでの温風暖房機の使用を防止し、機器の安全使用をより確保することができる。
【００２１】
【実施例】
以下本発明の温風暖房機につき、図１〜図３を参照して説明する。
【００２２】
（実施例１）
図１は本発明の温風暖房機で、ガスを燃料とするガス温風暖房機における制御系のブロック図、図２は同ガス温風暖房機の外郭内での概略構成の正面図、図３は同ガス温風暖房機の外郭内での概略構成の側面図を示している。なお、従来の技術のガス温風暖房機と同一構成並びに同一作用を奏するところには同一符号を付している。
【００２３】
前面に温風吹出口２を有し、かつ背面に着脱自在なエアフイルター３を設けた空気吸込口４を有する本体ケース１と、本体ケース１内に収納され、空気吸込口４から取り入れた空気を温風吹出口２に案内するガイドケース５と、ガイドケース５内に構成され、かつガスバーナ７を収納した燃焼室６と、燃焼室６内で得られた燃焼熱を空気吸込口４から吸い込んだ空気と混合し、温風吹出口２から温風として吹出すための送風ファン９と、またガイドケース５の外壁面に取付け、燃焼室６近傍の雰囲気温度を検出する温度センサ等の温度検出手段１０とを備えている。
【００２４】
そして、ガス温風暖房機は、本体ケース１内における空気吸込口４の近傍に設けた室温センサ等の室温検出手段１１を用いて室温を検知し、その検出室温が使用者によって操作基板１２上に設けた室温設定スイッチ１３ａ、１３ｂによって設定される設定室温に略一致するように、ガスバーナ７の燃焼量とその燃焼量に応じた送風ファン９の風量を制御する主制御基板ユニット等の主制御手段１４ａを備えている。
【００２５】
一方、燃料ガスは、ガスパイプ１５の先端に取り付けられたノズル部１６からガスバーナ７内に噴出し、そのエゼクター作用により、既に空気吸込口４を通じて流入している空気が吸引されて燃料ガスに混合し、ガスバーナ７で燃焼する。ガスパイプ１５の上流側には、その通電電流を制御することにより通過燃料ガス量を制御する比例弁１７、その通電のＯＮ・ＯＦＦ制御でガス通路を開閉し、燃料ガスの通過を遮断する電磁弁１８を備えている。
【００２６】
また、送風ファン９は、通電電流に比例してその回転数が変化するファンモータ１９によって回転駆動されるもので、ファンモータ１９には、その回転数を検知するホール素子等の回転数検出手段２０を備えている。そして、回転数検出手段２０によるファンモータ１９の回転数の出力を取り込んだ主制御手段１４ａによりファンモータ１９への通電電流を調整し、かつその回転を回転数検出手段２０にて検知しながら調整することで送風ファン９の回転数をガスバーナ７の燃焼量に応じて可変制御している。
【００２７】
ガスバーナ７から放出された燃料ガスは、点火電極８の放電によって点着火し燃焼する。また、ガスバーナ７の近傍には、燃焼火炎の有無を検出するための熱電対２１が設けられ、ガスバーナ７に燃焼火炎が形成されると、起電力を発生し、発生した起電力を主制御手段１４ａに出力する。
【００２８】
また室温検出手段１１は、空気吸込口３から吸い込まれる空気の室温に応じた信号を主制御手段１４ａに出力するものである。本体ケース１の天面には、操作基板１２を介して運転スイッチ２２以外、そのＯＮ・ＯＦＦ操作により、ガス温風暖房機の運転開始や終了を主制御手段１４ａに指示する各種スイッチ類が配設され、そのうちの室温設定スイッチ１３ａ、１３ｂは、使用者が所望する室温を設定するための設定値を上昇及び低下するための操作スイッチで、その設定値を主制御手段１４ａに出力する。
【００２９】
表示部２３には、例えば７セグメント素子や発光ダイオード等の表示素子を具備し、運転スイッチ２２のＯＮ・ＯＦＦ状態や、設定された室温、室温検出手段１１によって検出される室温等の各種の情報を、主制御手段１４ａの表示制御手段２４によって制御し、表示されるものである。
【００３０】
主制御手段１４ａは、マイクロコンピュータ（以下、マイコンという）及びその周辺回路を主構成要素とするもので、その主要な機能的構成を大別すると、燃焼制御手段２５、ファン制御手段２６、並びに表示制御手段２４を具備する。
【００３１】
燃焼制御手段２５は、運転スイッチ２２及び室温設定スイッチ１３ａ、１３ｂの指示信号、並びに室温検出手段１１及び熱電対２１の検出信号に基き、ガスバーナ７への燃料ガスのノズル部１６からのガス噴出量を電磁弁１８、ガス比例弁１７や、点火電極８への通電制御することにより調整し、ガス温風暖房機の点火、消火、燃焼量調整等、ガスバーナ７の燃焼制御を行うものである。
【００３２】
また、ファン制御手段２６は、運転スイッチ２２及び室温設定スイッチ１３ａ、１３ｂの指示信号、並びに燃焼室６の温度検出手段１０、室温検出手段１１、回転数検出手段２０及び熱電対２１の検出信号に基き、ファンモータ１９を通電制御して、送風ファン９の回転数を可変制御する。表示制御手段２４は、運転スイッチ２２及び室温設定スイッチ１３ａ、１３ｂの指示信号、並びに室温検出手段１１、回転数検出手段２０及び熱電対２１の検出信号に基き、表示部２３を制御して運転状態や設定室温、実際の室温等における各種の情報の表示を行わせる。
【００３３】
ここで、燃焼制御手段２５、ファン制御手段２６、並びに表示制御手段２４等は、マイコンの図示しないＲＯＭに格納された各専用の制御プログラムに基き以下に述べるフローにより各制御を実行する。
【００３４】
さらに制御手段１４ａは、空気吸込口４にエアフィルター３の未装着状態での燃焼であることを判断できる燃焼室６の温度に基く基準温度値を予め実験的に求めてＲＯＭに格納しておき、エアフィルター３が空気吸込口４に未装着状態での燃焼時における燃焼室６の温度低下を検出した温度検出手段１０より取込んだ前記の検出温度を、前記の基準温度値と比較し、基準温度値以下になった時、エアフィルター３が未装着状態であると判断し、燃焼制御手段２５、表示制御手段２４を介してエアフィルター３が未装着状態であることの警告を表示部２３に行わせるものである。
【００３５】
すなわち、エアフィルター３の未装着状態の空気吸込口４から吸込まれる空気量は、エアフィルター３が装着された正常の場合よりもエアフィルター３の圧力損失が少ないために多くなり、空気過剰によりガスバーナ７の燃焼が低下し結果として燃焼室６の温度が低下する。これを検出した温度検出手段１０による低下温度を取り込んで制御手段１４ａは、エアフィルター３の空気吸込口への未装着状態での燃焼であることを判断できる燃焼室６の温度に基く基準温度値と比較してエアフィルター３の装着状態を判定し、基準温度値以下であればエアフィルター３が空気吸込口４に未装着状態であると判定し警告を行うものである。
【００３６】
さらに主制御手段１４ａは、前記したエアフィルター３の空気吸込口４への未装着状態での燃焼であることを判断できる燃焼室６の温度に基く基準温度値を、室温検出手段１１による室温に基き常に補正するものである。すなわち、温度検出手段１０で検出する燃焼室６の温度に基く温度は、空気吸込口４から取り入れられる部屋の空気の室温が上昇すると燃焼状態が一定でも、その値は上昇し、室温が低下すると、その値も低下するので主制御手段１４ａは、各室温に対応して予め実験的に求めたエアフィルター３の空気吸込口４への未装着状態での燃焼であることを判断できる燃焼室６の温度に基く基準温度値を複数格納しておき、室温検出手段１１による室温を取り込んで複数の基準温度値の中から、常にその時の室温に対応する前記した基準温度値を選択し補正している。そして主制御手段１４ａは、エフアィルター３の空気吸込口４に未装着状態での燃焼における燃焼室６の低下した温度を検出した温度検出手段１０より取込んだ前記の検出温度を、室温に基き補正された基準温度値と比較し、前記基準温度値以下になった時に警告を正確に発するものである。
【００３７】
次に上記実施例におけるガス温風暖房機の基本動作を説明する。まず、運転スイッチ２２がＯＮ操作されると、運転スイツチ２２からの指示信号に基き、主制御手段１４ａのファン制御手段２４が送風ファン９を回転駆動させるため、ファンモータ１９に通電を開始し、送風ファン９の回転によりエアフィルター３の装着してある空気吸込口４から空気を吸引し、数秒間にわたって燃焼室６内のプリパージ運転を行う。続いて、燃焼制御手段２５からの信号で、点火電極９への通電を開始し、ガスバーナ７への高圧放電が開始される。これより遅れて電磁弁１８に通電して電磁弁１８を開弁させるとともに、ガスバーナ７に燃料ガスを供給すべくガス比例弁１７への通電電流が制御され、空気の混合した燃料ガスに前記の高圧放電により点着火され、ガスバーナ７によって燃焼が開始する。
【００３８】
また、燃焼制御手段２５は、燃焼火炎の有無を検出する熱電対２１の起電力が着火したことを判定する着火レベルを超えれば、点火電極８への通電を停止し、それ以降は通常運転を行う。この通常運転中において、燃焼制御手段２５は室温設定スイッチ１３ａ、１３ｂで設定された設定室温と室温検出手段１１で検出される実際の室温との温度差に応じてガスバーナ７での燃焼量を決定し、決定した燃焼量が得られるようにガス比例弁１７への通電電流を可変制御する。また、ファン制御手段２６は、上記温度差に応じて送風ファン９の回転数を決定し、決定した回転数が得られるようにファンモータ１９を通電制御する。
【００３９】
なお、運転スイッチ２２がＯＦＦ操作されると、運転スイッチ２２からの指示信号に基いて主制御手段１４ａの燃焼制御手段２５が、電磁弁１８、ガス比例弁１７への通電を停止して閉弁させ、燃料ガスの供給を止めてガスバーナ７の燃焼を消火する。そして、ガスバーナ７の消火後、ファン制御手段２６は熱電対２１からの起電力が所定の値に下がるまでの間、ファンモータ１９に通電して送風ファン９の回転をしばらく継続させ、燃焼室６内のポストパージ運転を行う。
【００４０】
また、エアフィルター３を介して空気吸込口４から取り入れた空気と燃焼室６内のガスバーナ７の燃焼で得られた燃焼熱とを混合した温風は、温風吹出口２から室内に吹出し、一方、燃焼室６内の雰囲気温度変化を温度検出手段１０が検出している。すなわち、燃焼室６内でガスバーナ７が燃焼を開始すると、その雰囲気温度が徐々に上昇し、温度検出手段１０も温度上昇し、燃焼状態がある一定の燃焼量で安定すると、温度検出手段１０で検出する値もある一定値で安定する。
【００４１】
このようにして温風暖房機が使用されると、エアフィルター３に空気中の埃が付着するので時々、空気吸込口４からエアフィルター３を取り外して清掃し、再びエアフィルター３を空気吸込口４に取付けて埃が燃焼室６等に入らないようにして使用しなければならない。また、エアフィルター３を空気吸込口４に取付けなくても、短期間であれば温風暖房運転に使用することは可能である。
【００４２】
従って、空気吸込口４にエアフィルター３が未装着のままで暖房運転に使用されると、そのエアフィルター３の圧力損失がなくなり風路抵抗が少なくなる。一方、ファンモータ１９の回転数は一定値を保とうとするため、当該機器内に吸い込まれる空気量は増大し、ガスバーナ７は過剰空気状態の燃焼となり、燃焼室６内の雰囲気温度も低下する。
【００４３】
そこで本実施例では、温度検出手段１０が燃焼室６の低下した温度が伝達されるガイドケース５のところで低下した温度を検出する。この検出した低下温度は主制御手段１４ａに取り込まれ、予め記憶部に格納してある空気吸込口４にエアフィルター３の未装着状態での燃焼であることを判断できる燃焼室６の温度に基き設定した基準温度値と比較され、基準温度値以下になった時、エアフィルター３が未装着状態であると判断し、燃焼制御手段２５、表示制御手段２４を介してエアフィルター３が未装着状態であることの警告を表示部２３に行わせるのである。
【００４４】
そして、表示部２３は光の点滅、音、画像等を単独、または組合せた手段で警告を行い、使用者にエアフィルター３の空気吸込口４への装着を促し、使用者はこの警告を受け止めてエアフィルター３を空気吸込口４に装着し、埃が燃焼室６等に入らなくなり、不完全燃焼状態にならないようにして安全に暖房運転を行うことができる。
【００４５】
また、温度検出手段１０で検出する燃焼室６の温度に基く温度は、空気吸込口４から取り入れられる空気の室温にも影響し、室温が上昇すると燃焼状態が一定でも、その値は上昇し、室温が低下すると、その値も低下するものである。
【００４６】
そこで本実施例では、主制御手段１４ａに予め設定されている基準温度値は、室温を示す室温検出手段１１の温度によって常に補正しているのである。
【００４７】
従って、主制御手段１４ａは、エフアィルター３の空気吸込口４に未装着状態での燃焼時における燃焼室６の低下した温度を検出した温度検出手段１０より取込んだ前記の検出温度を、エフアィルター３の空気吸込口４に未装着状態での燃焼時における燃焼室６の温度に基く、かつ室温に基き補正された基準温度値と比較し、この基準温度値以下になった時に警告を発するので、より正確にエアフィルター３の未装着状態を判断して正確に警告を行うことができる。
【００４８】
（実施例２）
実施例２における本発明のガス温風暖房機は、実施例１における主制御手段に、エアフィルターが空気吸込口に未装着状態での燃焼である時にガスバーナの燃焼量及び送風ファンによる送風量を所定値まで低下させる制御機能を付加したものである。本実施例で、実施例１と同一構成並びに作用効果を奏するところには同じ符号を付して詳細な説明を省略し、異なるところを中心に説明する。
【００４９】
図１〜図３において主制御手段１４ａは、実施例１で説明したようにエアフィルター３が空気吸込口４に未装着状態である警告を発する制御機能以外に、エアフィルター３が空気吸込口４に未装着状態の燃焼である時に、正常運転時よりも過剰な空気量によるガスバーナ７の燃焼が不安定になるのを軽減するため、予め設定したエアフィルター３の空気吸込口４への未装着状態でも安定した燃焼性が確保できるところの、ガスバーナ７の燃焼量及び送風ファン９による送風量を所定値まで低下させるように制御する構成にし、この制御を実行する制御シーケンスを備えている。
【００５０】
上記実施例において、エアフィルター３の空気吸込口４への未装着状態での燃焼であることを主制御手段１４ａにより判断して警告を表示部２３に表示をした場合でも、使用者がそれに気づかず、そのまま暖房運転を継続した場合は、正常運転時より過剰な空気量が吸い込まれるため、ガスバーナ７の燃焼の不安定性が増す恐れがある。
【００５１】
そこで本実施例における主制御手段１４ａは、実施例１で説明したと同様に、エアフィルター３の空気吸込口４への未装着状態での燃焼であることの警告を発するとともに、それと同時にガスバーナ７での燃焼量と送風ファン９の回転数を、予め設定したエアフィルター３の空気吸込口４への未装着状態でも安定した燃焼性が確保できる所定値まで低下させるように燃焼制御手段２５及びファン制御手段２６を制御し、ガスバーナ７の燃焼量及びそれに基く送風ファン９の送風量が正常時より低下させた所定値になり安定した燃焼を保つことができる。
【００５２】
以上のように本実施例では、エアフィルター３の空気吸込口４への未装着状態であることの警告をしても使用者がそれを見落とし、そのまま器具を継続して燃焼運転させた場合の安全性を確保するため、正常の場合と比較し過剰空気で燃焼させている燃焼制御を変更し、前記した警告が出ると同時に、その燃焼の安全性が十分確認された、バーナの燃焼量と送風ファンの回転数に低減させた状態に移行させるので、万一、警告がでてもエアフィルターの未装着のままで継続的に運転された場合の安全性を確保できる。
【００５３】
（実施例３）
実施例３における本発明のガス温風暖房機は、実施例１または実施例２における主制御手段に、エアフィルターが空気吸込口に未装着状態である警告を発してから一定時間経過すると燃焼を強制的に停止させる制御機能を付加したものである。本実施例で、実施例１及び２と同一構成並びに作用効果を奏するところには同じ符号を付して詳細な説明を省略し、異なるところを中心に説明する。
【００５４】
図１〜図３において主制御手段１４ａは、実施例１で説明したようにエアフィルター３が空気吸込口４に未装着状態である警告を発する制御機能以外に、または実施例２で説明したようにエアフィルター３が空気吸込口４に未装着状態である警告を発するとともに、ガスバーナ７での燃焼量と送風ファン９の回転数を、予め設定したエアフィルター３の空気吸込口４への未装着状態でも安定した燃焼性が確保できる所定値まで低下させるように制御する以外に、前記した警告を発してから一定の時間が経過すると強制的にガスバーナ７の燃焼を停止するよう燃焼制御手段２５、ファン制御手段２６を制御する構成にし、この制御を実行する制御シーケンスを備えている。
【００５５】
上記実施例において、エアフィルター３の空気吸込口４への未装着状態での燃焼であることを主制御手段１４ａにより判断して警告を表示部２３に表示する。そして主制御手段１４ａは、前記した警告を発した時点からタイマーによりカウントを開始し一定時間が経過すると、強制的にガスバーナ７の燃焼を停止するよう燃焼制御手段２５、ファン制御手段２６を制御し、ガス温風暖房機の暖房運転を強制的に停止させる。
【００５６】
従って、エアフィルター３の空気吸込口４への未装着状態での燃焼であることを主制御手段１４ａにより判断して警告を表示部２３に表示してエアフィルター３の装着を促しても使用者がそれに気づかず、そのまま暖房運転を継続した場合は、警告後の一定時間が経過すると強制的に燃焼を停止し、より積極的に使用者にその旨を知らしめると同時に、器具の使用上における安全性を確保することができる。
【００５７】
以上のように本実施例は、前記した警告を見落とし、温風暖房機を引き続き継続燃焼された場合の燃焼性の安全を確保したとしても、そのまま長時間、エアフィルターが空気吸込口に未装着のまま燃焼運転されると、機器内に多量の埃が侵入し、送風ファン等に付着し、送風特性の劣化を招く恐れがあり、耐久的にみた場合、燃焼性の安全も保障できなくなる。従って、エアフイルターが未装着のまま、使用された場合は、警告が出た時点からカウントし、ある一定の所定の時間が経過すると、自動的に燃焼を停止し、より確実に使用者に警告内容を知らしめるとともに、より一層の安全性を確保できる。
【００５８】
（実施例４）
実施例４における本発明のガス温風暖房機は、実施例１または実施例２における主制御手段に、エアフィルターが空気吸込口に未装着状態である警告を発した回数を記憶し、複数回連続的に警告を発した場合、または予め設定した所定回数を警告数が越えた場合に、それぞれ燃焼を強制的に停止させる制御機能を付加したものである。本実施例で、実施例１及び２と同一構成並びに作用効果を奏するところには同じ符号を付して詳細な説明を省略し、異なるところを中心に説明する。
【００５９】
図１〜図３において主制御手段１４ａは、実施例１で説明したようにエアフィルター３が空気吸込口４に未装着状態での燃焼である警告を発する制御機能以外に、または実施例２で説明したようにエアフィルター３が空気吸込口４に未装着状態での燃焼である警告を発するとともに、ガスバーナ７での燃焼量と送風ファン９の回転数を、予め設定したエアフィルター３の空気吸込口４への未装着状態でも安定した燃焼性が確保できる所定値まで低下させるように制御する以外に、前記警告を発した回数を記憶するメモリー部２７を有し、複数回連続的に前記の警告を発した場合、または予め設定した所定回数を前記の警告回数が越えた場合に、それぞれ強制的にガスバーナ７の燃焼を停止するよう燃焼制御手段２５、ファン制御手段２６を制御する構成にし、この制御を実行する制御シーケンスを備えている。
【００６０】
上記実施例において、エアフィルター３の空気吸込口４への未装着状態での燃焼であることを主制御手段１４ａにより判断して警告を表示部２３に表示する。そして、エアフィルター３の空気吸込口４への未装着状態での燃焼であることを主制御手段１４ａにより判断して警告を表示部２３に表示してエアフィルター３の装着を促しても使用者がそれに気づかず、そのまま暖房運転を数回繰り返したりすると、その度毎に主制御手段１４ａは前記した警告を発するとともにメモリー部２７に警告回数を記憶する。
【００６１】
または、エアフィルター３の空気吸込口４への未装着状態での燃焼であることを主制御手段１４ａにより判断して警告を表示部２３に表示してエアフィルター３の装着を促しても使用者がそれに気づかず、そのまま暖房運転を複数回連続的に使用すると、その度毎に主制御手段１４ａは前記した警告を発するとともにメモリー部２７に複数回連続的に警告したことを記憶する。
【００６２】
このように主制御手段１４ａはメモリー部２７に前記した警告回数、または複数回連続した警告を記憶するとともに、警告回数が予め設定した所定回数値を越えた時に、または複数回連続した警告を記憶した時に、それぞれ強制的にガスバーナ７の燃焼を停止するよう燃焼制御手段２５、ファン制御手段２６を制御し、ガス温風暖房機の暖房運転を強制的に停止させる。
【００６３】
一般にこの種のガス温風暖房機は、エアフィルター３の空気吸込口４への未装着状態で、そのまま暖房運転を複数回連続的に使用したり、または暖房運転を数回繰り返したりすると、機器内に埃が多量に侵入する恐れと、それに伴う燃焼の不安定が考えられる。
【００６４】
然るに上記実施例では、エアフィルター３の空気吸込口４への未装着状態で、そのまま暖房運転を複数回連続的に使用したり、または暖房運転を数回繰り返したりすると、上記したように積極的に、その時点で強制的にガス温風暖房機の運転を停止させるので、器具を安全に使用することができる。
【００６５】
以上のように本実施例は、万一、エアフィルターの空気吸込口への未装着状態での燃焼の警告がでても、そのまま温風暖房機を連続して複数回以上使用した場合、または発した警告回数をメモリー部に記憶させ、所定回数を越えた場合は、安全性を確保するため、以後の運転を停止し、確実に機器の燃焼時の安全性を確保することができる。
【００６６】
なお、上記各実施例はガスを燃料とするガス温風暖房機に適用したが、石油を燃料とする石油温風暖房機にも適用できるものである。
【００６７】
【発明の効果】
以上説明したように本発明の温風暖房機は、エアフィルターが空気吸込口に未装着状態で使用した場合に、その旨の警告を発して使用者にエアフィルターの装着を促すことができるので、器具の安全な使用を図ることができる。
【図面の簡単な説明】
【図１】本発明の実施例１〜４のガス温風暖房機における制御系のブロック図
【図２】同ガス温風暖房機の外郭内の機構構成を示す概略正面図
【図３】同ガス温風暖房機の外郭内の機構構成を示す概略側面図
【図４】従来のガス温風暖房機の外郭内を示す概略正面図
【図５】同ガス温風暖房機の外郭内を示す概略側面図
【符号の説明】
１  本体ケース
２  温風吹出口
３  エアフィルター
４  空気吸込口
６  燃焼室
７  ガスバーナ
９  送風ファン
１０  温度検出手段
１１  室温検出手段
１４ａ  主制御手段
２０  回転数検出手段
２４  表示制御手段
２５  燃焼制御手段
２６  ファン制御手段
２７  メモリー部
【図１】
2004156851.tif 000003
【図２】
2004156851.tif 000004
【図３】
2004156851.tif 000005
【図４】
2004156851.tif 000006
【図５】
2004156851.tif 000007